(57)【要約】【課題】  光送受信モジュールの光信号送信部と光信号受信部との間でクロストークが起きにくい光信号伝送装置及びこの光信号伝送装置を用いた光信号伝送システムを提供することを課題とする。【解決手段】  光信号送信部２６を構成するリジット基板２７及び、光信号受信部２８を構成するリジット基板２９は、レセプタクル５４の異なる側面に保持固定されている。光信号受信部２８と光信号送信部２６を同一面に並べて配置させた場合、相互間でクロストークが発生するが、光信号受信部２８と光信号送信部２６を隣接させないことによってクロストークを抑制し、良好な画像を出力することができる。また、光信号受信部２８と光信号送信部２６とをレセプタクル５４の同一側面に並べて配置しないことで、レセプタクル５４の側面の幅寸法が必要以上に大きくならず、光信号伝送装置１２が大型にならない。【選択図】    図２
2006140586.tif 000002
【特許請求の範囲】
【請求項１】
受光素子で光信号を受光し、デジタル電気信号に変換して出力する光信号受信部と、
デジタル電気信号を発光素子で受信し、光信号に変換して出力する光信号送信部と、
前記光信号受信部及び前記光信号送信部がそれぞれ接続され、前記光信号受信部から出力されたデジタル電気信号を処理し、且つ、前記光信号送信部へ出力するデジタル電気信号を生成するデジタル信号制御部と、
前記光信号受信部及び前記光信号送信部を保持し、光ケーブルと光学的に接続する略箱状の保持部材と、
を備える光信号伝送装置において、
前記光信号受信部と前記光信号送信部とが、それぞれ前記保持部材の異なる側面に保持固定されていることを特徴とする光信号伝送装置。
【請求項２】
前記光信号受信部と前記デジタル信号制御部を接続する第１のフレキシブル配線基板と、前記光信号送信部と前記デジタル信号制御部を接続する第２のフレキシブル配線基板と、を有することを特徴とする請求項１に記載の光信号伝送装置。
【請求項３】
前記第１のフレキシブル配線基板と前記第２のフレキシブル配線基板は、異なる長さとされていることを特徴とする請求項２に記載の光信号伝送装置。
【請求項４】
前記第１のフレキシブル配線基板と前記第２のフレキシブル配線基板は、前記デジタル信号制御部の回路基板の同一辺に接続され、前記第１のフレキシブル配線基板と前記第２のフレキシブル配線基板の全長が長い方は、Ｌ字状に形成されていることを特徴とする請求項３に記載の光信号伝送装置。
【請求項５】
前記第１のフレキシブル配線基板及び前記第２のフレキシブル配線基板の全長が長い方に低速信号が伝送されることを特徴とする請求項３又は請求項４に記載の光信号伝送装置。
【請求項６】
受光素子で光信号を受光し、デジタル電気信号に変換して出力する第１光信号受信部と、デジタル電気信号を発光素子で受信し、光信号に変換して出力する第１光信号送信部と、前記第１光信号受信部及び前記第１光信号送信部がそれぞれ接続され、前記第１光信号受信部から出力されたデジタル電気信号を処理して電気ケーブルを介してホストへ出力し、且つ、前記ホストから入力されるデジタル電気信号を前記第１光信号送信部へ出力する第１デジタル信号制御部と、前記第１光信号受信部及び前記第１光信号送信部を保持し、光ケーブルと光学的に接続する略箱状の第１保持部材と、を備える第１光信号伝送装置と、
受光素子で光信号を受光し、デジタル電気信号に変換して出力する第２光信号受信部と、デジタル電気信号を発光素子で受信し、光信号に変換して出力する第２光信号送信部と、前記第２光信号受信部及び前記第２光信号送信部がそれぞれ接続され、前記第２光信号受信部から出力されたデジタル電気信号を処理して電気ケーブルを介してモニタへ出力し、且つ、前記モニタから入力されるデジタル電気信号を前記第２光信号送信部へ出力する第２デジタル信号制御部と、前記第２光信号受信部及び前記第２光信号送信部を保持し、光ケーブルと光学的に接続する略箱状の第２保持部材と、を備える第２光信号伝送装置と、
を備える光信号伝送システムにおいて、
前記第１光信号受信部と前記第１光信号送信部とが、それぞれ前記第１保持部材の異なる側面に保持固定され、且つ、前記第２光信号受信部と前記第２光信号送信部とが、それぞれ前記第２保持部材の異なる側面に保持固定されていることを特徴とする光信号伝送システム。
【発明の詳細な説明】
【技術分野】
【０００１】
本発明は、光信号伝送装置及びこの光信号伝送装置を用いた光信号伝送システムに関する。
【背景技術】
【０００２】
液晶パネルやプラズマディスプレイの高解像度化に伴い、ホストからの大容量映像信号をデジタル信号のまま伝送することが求められている。例えば、業界団体であるＤＤＷＧ（Ｄｉｇｉｔａｌ  Ｄｉｓｐｌａｙ  Ｗｏｒｋｉｎｇ  Ｇｒｏｕｐ）が策定したＤＶＩ（Ｄｉｇｉｔａｌ  Ｖｉｓｕａｌ  Ｉｎｔｅｒｆａｃｅ：デジタル映像伝送規格）は、ＴＭＤＳ（Ｔｒａｎｓｉｔｉｏｎ  Ｍｉｎｉｍｉｚｅｄ  Ｄｉｆｆｅｒｅｎｔｉａｌ  Ｓｉｇｎａｌｉｎｇ）と呼ばれる差動信号規格で、１ビットあたり１．６５Ｇｂｐｓという高速信号により映像情報を伝送すると共に、低速信号ではあるが、ディスプレイ情報などをＤＤＣ信号としてディスプレイからホストへ伝送するものである。
【０００３】
この伝送媒体としては、一般にはディスプレイケーブルとして広く使われているシールド付きのメタルケーブルが用いられるが、信号が高速ゆえに、ケーブルの長さを１０ｍ以上延ばすことができない、という問題があった。
【０００４】
そこで、このデジタル信号を光に変換して、長距離伝送をする方式が提案されている（特許文献１参照）。
【０００５】
しかし、特許文献１の光送受信モジュールでは、光信号送信部及び光信号受信部は同一基板上に隣接して配置されているため、相互間でクロストークの影響を受けやすく、出力画像に乱れが生じてしまう。
【特許文献１】特開２００４−２４１９１５号公報
【発明の開示】
【発明が解決しようとする課題】
【０００６】
本発明は、上記事実を考慮し、光送受信モジュールの光信号送信部と光信号受信部との間でクロストークが起きにくい光信号伝送装置及びこの光信号伝送装置を用いた光信号伝送システムを提供することを目的とする。
【課題を解決するための手段】
【０００７】
上記目的を達成するために請求項１に記載の発明は、受光素子で光信号を受光し、デジタル電気信号に変換して出力する光信号受信部と、デジタル電気信号を発光素子で受信し、光信号に変換して出力する光信号送信部と、前記光信号受信部及び前記光信号送信部がそれぞれ接続され、前記光信号受信部から出力されたデジタル電気信号を処理し、且つ、前記光信号送信部へ出力するデジタル電気信号を生成するデジタル信号制御部と、前記光信号受信部及び前記光信号送信部を保持し、光ケーブルと光学的に接続する略箱状の保持部材と、を備える光信号伝送装置において、前記光信号受信部と前記光信号送信部とが、それぞれ前記保持部材の異なる側面に保持固定されていることを特徴としている。
【０００８】
請求項１に記載の発明によれば、保持部材の異なる側面に、デジタル信号制御部に接続された光信号受信部と光信号送信部を保持固定し、光信号受信部の受光素子で受光した光信号をデジタル電気信号に変換して出力して、光信号送信部の発光素子でデジタル電気信号を受信し、光信号に変換して出力する。
【０００９】
これにより、光信号受信部と光信号送信部を同一面に並べて配置させた場合、相互間でクロストークが発生するが、光信号受信部と光信号送信部を保持部材の同一側面に並べて配置しない、つまり、光信号受信部と光信号送信部を隣接させないことによってクロストークを抑制し、良好な画像を出力することができる。
【００１０】
また、光信号受信部と光信号送信部とを保持部材の同一側面に並べて配置しないことで、保持部材の側面の幅寸法が必要以上に大きくならず、光信号伝送装置が大型にならない。
【００１１】
請求項２に記載の発明は、前記光信号受信部と前記デジタル信号制御部を接続する第１のフレキシブル配線基板と、前記光信号送信部と前記デジタル信号制御部を接続する第２のフレキシブル配線基板と、を有することを特徴としている。
【００１２】
請求項２に記載の発明によれば、第１のフレキシブル配線基板によって、光信号受信部とデジタル信号制御部が接続されており、第２のフレキシブル配線基板によって、光信号送信部とデジタル信号制御部が接続されている。
【００１３】
このように、フレキシブル基板を用いることで、光信号受信部及び光信号送信部の配置の自由度が上がるので、光信号受信部及び光信号送信部を容易に保持部材の異なる側面に保持固定することができる。
【００１４】
例えば、デジタル信号制御部の同一辺に第１のフレキシブル配線基板と第２のフレキシブル配線基板の一端を接続した場合、すなわち、第１のフレキシブル配線基板と第２のフレキシブル配線基板が同一の方向を向いて接続されている場合でも、どちらか一方を折り曲げたり捻ったりすることで、簡単に保持部材の異なる側面に保持固定することができる。
【００１５】
また、デジタル信号制御部と、光信号送信部及び光信号受信部の位置関係、もしくは、デジタル信号制御部と保持部材の位置関係の精度を必要としないので、製造工程が短縮され、コストダウンに繋がる。
【００１６】
請求項３に記載の発明は、前記第１のフレキシブル配線基板と前記第２のフレキシブル配線基板は、異なる長さとされていることを特徴としている。
【００１７】
請求項３に記載の発明によれば、デジタル信号制御部の同一辺に第１のフレキシブル配線基板及び第２のフレキシブル配線基板の一方の端部が接続されている場合、長さを異ならせることで、第１のフレキシブル配線基板の他方の端部に接続された光信号受信部と、第２のフレキシブル配線基板の他方の端部に接続された光信号送信部の位置が重なることがない。
【００１８】
これにより、第１のフレキシブル配線基板と第２のフレキシブル配線基板の間隔を狭めることができるので、デジタル信号制御部の一辺の長さを短くすることができる。すなわち、全体を小型化することができる。
【００１９】
請求項４に記載の発明は、前記第１のフレキシブル配線基板と前記第２のフレキシブル配線基板は、前記デジタル信号制御部の回路基板の同一辺に接続され、前記第１のフレキシブル配線基板と前記第２のフレキシブル配線基板の全長が長い方は、Ｌ字状に形成されていることを特徴としている。
【００２０】
請求項４に記載の発明によれば、第１のフレキシブル配線基板と第２のフレキシブル配線基板が、デジタル信号制御部の回路基板の同一辺に接続されている。そして、第１のフレキシブル配線基板と第２のフレキシブル配線基板のうちの全長が長い方はＬ字状に形成されている。
【００２１】
これにより、第１のフレキシブル配線基板と第２のフレキシブル配線基板のうちの全長が長い方を、折り返して保持部材の側面に取り付けても、フレキシブル配線基板を捻ることなく光信号送信部又は光信号受信部を保持部材の側面に取り付けることができるので、フレキシブル配線基板に強いストレスがかからない。また、折り返すことで弾性力でフレキシブル配線基板を光信号伝送装置に筐体の底面に押し付けて筐体に密着させた状態にできるので、不要輻射を軽減させることができる。
【００２２】
さらに、一方のフレキシブル配線基板をＬ字状に形成することで、光信号受信部と光信号送信部とを互いに干渉せずに配置でき、且つ、光信号受信部の回路基板、光信号送信部の回路基板及びデジタル信号制御部の回路基板を一枚のリジットフレキ基板で作成することが可能となる。これにより、デジタル信号制御部と光信号受信部でやりとりする光信号や、デジタル信号制御部と光信号送信部でやりとりするデジタル電気信号の安定性が増し、誤動作を防止することができる。
【００２３】
請求項５に記載の発明は、前記第１のフレキシブル配線基板及び前記第２のフレキシブル配線基板の全長が長い方に低速信号が伝送されることを特徴としている。
【００２４】
請求項５に記載の発明によれば、低速信号の場合、伝送距離が長くても信号の劣化が少ないので、長いフレキシブル基板が用いられている方に低速信号が伝送されるようにして、短いフレキシブル配線基板が用いられている方に高速信号が伝送されるようにする。これにより、高速信号の劣化を極力抑えることが可能となる。
【００２５】
請求項６に記載の発明は、受光素子で光信号を受光し、デジタル電気信号に変換して出力する第１光信号受信部と、デジタル電気信号を発光素子で受信し、光信号に変換して出力する第１光信号送信部と、前記第１光信号受信部及び前記第１光信号送信部がそれぞれ接続され、前記第１光信号受信部から出力されたデジタル電気信号を処理して電気ケーブルを介してホストへ出力し、且つ、前記ホストから入力されるデジタル電気信号を前記第１光信号送信部へ出力する第１デジタル信号制御部と、前記第１光信号受信部及び前記第１光信号送信部を保持し、光ケーブルと光学的に接続する略箱状の第１保持部材と、を備える第１光信号伝送装置と、受光素子で光信号を受光し、デジタル電気信号に変換して出力する第２光信号受信部と、デジタル電気信号を発光素子で受信し、光信号に変換して出力する第２光信号送信部と、前記第２光信号受信部及び前記第２光信号送信部がそれぞれ接続され、前記第２光信号受信部から出力されたデジタル電気信号を処理して電気ケーブルを介してモニタへ出力し、且つ、前記モニタから入力されるデジタル電気信号を前記第２光信号送信部へ出力する第２デジタル信号制御部と、前記第２光信号受信部及び前記第２光信号送信部を保持し、光ケーブルと光学的に接続する略箱状の第２保持部材と、を備える第２光信号伝送装置と、を備える光信号伝送システムにおいて、前記第１光信号受信部と前記第１光信号送信部とが、それぞれ前記第１保持部材の異なる側面に保持固定され、且つ、前記第２光信号受信部と前記第２光信号送信部とが、それぞれ前記第２保持部材の異なる側面に保持固定されていることを特徴としている。
【００２６】
請求項６に記載の発明によれば、第１光信号受信部と第１光信号送信部を第１保持部材の同一側面に並べて配置しない、また、第２光信号受信部と第２光信号送信部を第２保持部材の同一側面に並べて配置しない、つまり、第１光信号受信部と第１光信号送信部を隣接させないで、且つ、第２光信号受信部と第２光信号送信部を隣接させないことによってクロストークを抑制し、良好な画像を出力することができる光信号伝送システムが得られる。
【発明の効果】
【００２７】
本発明は上記構成としたので、光送受信モジュールの光信号送信部と光信号受信部との間でクロストークが起きにくい。
【発明を実施するための最良の形態】
【００２８】
以下、図面を参照して本発明の実施形態に係る光信号伝送装置１２について説明する。
【００２９】
（全体構成）
まず、本実施形態の光信号伝送装置１２を備えた映像信号伝送装置システム１０について、図１に基づいて簡単に説明する。
【００３０】
映像信号伝送装置システム１０は、ホスト１６からの映像信号をモニタ１４に表示するシステムである。ホスト１６から出力された映像信号は、ホスト１６に接続された光信号伝送装置１２Ａで光信号に変換され、光ファイバーを介してモニタ１４に接続された光信号伝送装置１２Ｂへ送信される。光信号伝送装置１２Ｂは、光信号伝送装置１２Ａから送信された光信号をデジタル電気信号に変換し、画像をモニタ１４に表示する。
【００３１】
光信号伝送装置１２が伝送するデジタル信号としては、映像信号の規格の１つに業界団体ＤＤＷＧが策定したＤＶＩなどが適用される。また、この他に音声情報やリモコン情報のやり取り等を行うためのＤＶＩ信号とは別の非ＤＶＩ信号も適用される。
【００３２】
（光信号伝送装置）
図１及び図２に示すように、ホスト１６側には、光信号伝送装置１２Ａが接続されており、モニタ１４側には、光信号伝送装置１２Ｂが接続されている。
【００３３】
光信号伝送装置１２Ａ及び光信号伝送装置１２Ｂはほぼ同じ構成とされているので、ここでは光信号伝送装置１２Ａを例にとって説明する。
【００３４】
光信号伝送装置１２Ａは、光信号送信部２６、光信号受信部２８、デジタル信号制御部３０で構成されている。光信号送信部２６は、光送信モジュール２２と、この光送信モジュール２２が搭載されたリジット基板２７で構成されている。また、光信号受信部２８は、光受信モジュール２４と、この光受信モジュール２４が搭載されたリジット基板２９で構成されている。
【００３５】
また、図２に示すように、光信号伝送装置１２Ａは、箱状の筐体４２と、筐体４２の開口部を塞ぐ蓋部４４を備えている。筐体４２の底部には、デジタル信号制御部３０を構成するリジット基板３２が設置されている。リジット基板３２は、一角に切欠部５０が形成され、略Ｌ字状とされている。この切欠部５０には、保持部材としてのレセプタクル５４が設置されている。
【００３６】
図３に示すように、レセプタクル５４は略矩形箱状とされており、切欠部５０の他辺５０Ｂ（図２参照）に対向する側面５４Ａと、この側面５４Ａに対向する側面からは、薄板状の板部６２、６３がそれぞれ延設されている。
【００３７】
レセプタクル５４は、上方向からシールド部材７０によって覆われるようになっている。シールド部材７０は略矩形状の板材７２を備えており、板材７２の一方の両端部からは一方向から見たときに略Ｌ字状とされたアーム部材７４、７６が延設されている。アーム部材７４、７６は、シールド部材７０でレセプタクル５４を覆ったとき、レセプタクル５４に形成された板部６２、６３に重なる位置に形成されている。
【００３８】
アーム部材７４、７６には貫通孔７８、７９が形成されている。アーム部材７４、７６と板材７２でレセプタクル５４を覆い、貫通孔７８、７９とレセプタクル５４の板部６２、６３に形成された貫通孔８０、８１に挿入したネジ８４、８５を、筐体４２の底部に形成されたネジ孔８６、８７に螺合させる。これにより、レセプタクル５４はシールド部材７０に覆われて、筐体４２の底部に固定される。
【００３９】
また、板材７２の他方の端部には、レセプタクル５４の、切欠部５０の一辺５０Ａに対向する側面５４Ｂ（図２参照）に沿って板片８８、８９が突設されている。板片８８、８９には、それぞれネジ孔９０、９１が形成されており、光信号送信部２６を構成するリジット基板２７に形成された貫通孔９４、９５に挿入されたネジ９６、９７を、このネジ孔９０、９１に螺合させることで、リジット基板２７をシールド部材７０に保持固定させるようになっている。これにより、リジット基板２７は、レセプタクル５４の側面５４Ｂに保持固定されるようになっている。
【００４０】
レセプタクル５４の側面５４Ｂには、断面形状が略Ｕ字状の凹部６８が形成されている。リジット基板２７をレセプタクル５４の側面５４Ｂに保持固定させると、リジット基板２７に搭載された円柱状の光送信モジュール２２が、凹部６８に挿通されて位置決めされる。
【００４１】
また、レセプタクル５４の側面５４Ａにはネジ孔６５が形成されており、光信号受信部２８を構成するリジット基板２９に形成された貫通孔６７に挿入されたネジ６９をこのネジ孔６５に螺合することで、リジット基板２９はレセプタクル５４の側面５４Ａに保持固定されるようになっている。
【００４２】
側面５４Ａには、略矩形状の開口部６６が形成されている。リジット基板２９を側面５４Ａに保持固定させると、リジット基板２９に搭載されている四角柱状の光受信モジュール２４が、開口部６６に挿通されて位置決めされる。
【００４３】
図４に示すように、光送信モジュール２２の延長線上の筐体４２の側壁には、コネクタ１０５が設けられている。コネクタ１０５には、光ケーブル１８が続されたコネクタ２０が嵌合されるようになっており、光ケーブル１８を介して、光受信モジュール２４へ光信号が出力され、また、光送信モジュール２２から光信号が入力されるようになっている。
【００４４】
詳細には、光送信モジュール２２には発光素子１１２及びレンズ１１４、１１５が搭載されており、発光素子１１２から発光した光信号は、レンズ１１４で平行光に変換され、レンズ１１５により集光されてコネクタ１０５へ導かれて、光ケーブル１８の光ファイバへ出力される。
【００４５】
また、光受信モジュール２４には、図示は省略するが、受光素子、受信アンプ、レンズが搭載されており、光ケーブル１８の光ファイバからコネクタ１０５を介して光受信モジュール２４に入力した光信号は、レンズで集光されて受光素子に入力されるようになっている。
【００４６】
また、図２に示すように、リジット基板３２には、レセプタクル５４が設けられた反対側に、雌コネクタ５８が取り付けられている。この雌コネクタ５８には、シールドケーブル６０のハーネス６１に取り付けられた雄コネクタ５９が嵌合するようになっている。これにより、シールドケーブル６０を介して、ホスト１６（図１参照）からデジタル信号制御部３０（リジット基板３２）に映像信号等が伝送される。
【００４７】
また、リジット基板３２には、雌コネクタ５５が設置されている。この雌コネクタ５５には、シールドケーブル５７の一端に接続された雄コネクタ５６が嵌合されるようになっており、シールドケーブル５７を介してホスト１６へ制御信号が伝送される。
【００４８】
なお、モニタ１４側に接続される光信号伝送装置１２Ｂ（図１参照）では、光信号伝送装置１２Ａと同じような構成で、シールドケーブル７５を介してモニタ１４へ映像信号が伝送され、シールドケーブル７６を介してモニタ１４からの制御信号がデジタル信号制御部４０へ伝送されるようになっている。
【００４９】
一方、リジット基板２７とリジット基板３２はフレキ部４６で接続されており、リジット基板２９とリジット基板３２はフレキ部４８で接続されている。
【００５０】
図５には、リジット基板２７、２９をレセプタクル５４に保持固定させる前の状態、すなわち、リジット基板２７とリジット基板３２を接続するフレキ部４６及びリジット基板２９とリジット基板３２を接続するフレキ部４８を展開した状態が示されている。
【００５１】
デジタル信号制御部３０を構成するリジット基板３２の切欠部５０の一辺５０Ａ側には、光信号送信部２６を構成するリジット基板２７が配設されている。リジット基板２７は、一辺５０Ａに対向する位置に凹部５２が形成され、略Ｌ字状とされている。この凹部５２には、一端が切欠部５０の一辺５０Ａに接続されたフレキ部４６の他端が接続されている。これにより、リジット基板２７は、フレキ部４６によってリジット基板３２に電気的に接続されている。
【００５２】
また、切欠部５０には、リジット基板２７と平行になるようにして、光信号受信部２８を構成するリジット基板２９が配設されている。リジット基板２９は、フレキ部４８によってリジット基板３２に電気的に接続されている。
【００５３】
フレキ部４８は、一端が切欠部５０の一辺５０Ａに接続されており、フレキ部４６に平行で、リジット基板２７を超える長さになるようにして延設された長辺部４８Ａと、長辺部４８Ａに対して直交し、切欠部５０の他辺５０Ｂと反対方向に延設された短辺部４８ＢとでＬ字状に構成されている。この短辺部４８Ｂが、リジット基板２９の、切欠部５０の他辺５０Ｂに対向する一辺に接続されている。
【００５４】
図５に示すように、フレキ部４６、４８を展開した状態において、リジット基板２７、リジット基板２９の紙面側を表面、反対側を裏面とする。そして、図２に示すように、リジット基板２７は、フレキ部４６を略９０度折り曲げて、裏面がレセプタクル５４の側面５４Ｂに対向するようにして保持固定される。
【００５５】
また、リジット基板２９は、フレキ部４８の長辺部４８Ａを略１８０度折り曲げ、さらに短辺部４８Ｂを略９０度折り曲げて、表面がレセプタクル５４の側面５４Ａに対向するようにして保持固定される。
【００５６】
一方、ホスト１６からは、映像信号、音声信号、制御信号が出力され、モニタ１４からは制御信号が出力される。つまり、ホスト１６から出力されるデータ量は、モニタ１４から出力されるデータ量よりも大きい。このため、ホスト１６から出力されるデータは、高速信号で伝送する必要がある。また、モニタ１４から出力されるデータは低速信号で伝送することができる。
【００５７】
そこで、短いフレキ部４６、４７（図１参照）に、ホスト１６からモニタ１４に向かう信号を伝送し、長いフレキ部４８、４９に、モニタ１４からホスト１６に向かう信号を伝送する。これにより、ホスト１６からモニタ１４に向かう高速信号の劣化を抑えることができる。
（作用）
図１に示すように、ホスト１６から映像等の信号が、ホスト１６に接続された光信号伝送装置１２Ａに出力される。この信号はデジタル信号制御部３０からフレキ部４６を介して光信号送信部２６のリジット基板２７（図４参照）へ伝送される。ここで、光送信モジュール２２の発光素子１１２で光信号に変換されて、光ケーブル１８を介して、モニタ１４に接続された光信号伝送装置１２Ｂの光受信モジュール３２の受光素子へ伝送される。そして、受光素子でデジタル電気信号に変換され、光信号受信部３６のリジット基板からフレキ部４７を介してデジタル信号制御部４０へ伝送されて、モニタ１４に画像として出力される。
【００５８】
また、モニタ１４からの制御信号は、モニタ１４に接続された光信号伝送装置１２Ｂに出力される。この信号はデジタル信号制御部４０からフレキ部４９を介して光信号送信部３８のリジット基板へ伝送される。ここで、光送信モジュール３４の発光素子で光信号に変換されて、光ケーブル１８を介して、ホスト１６に接続された光信号伝送装置１２Ａの光受信モジュール２４の受光素子１１０へ伝送される。そして、受光素子１１０でデジタル電気信号に変換され、光信号受信部２８のリジット基板２９からフレキ部４８を介してデジタル信号制御部３０へ伝送されて、ホスト１６へ入力される。
【００５９】
このとき、図２に示すように、光信号送信部２６を構成するリジット基板２７及び、光信号受信部２８を構成するリジット基板２９は、レセプタクル５４の異なる側面に保持固定されている。光信号受信部２８と光信号送信部２６を同一面に並べて配置させた場合、相互間でクロストークが発生するが、光信号受信部２８と光信号送信部２６をそれぞれ別々のリジット基板２７、２９で構成し、隣接させないことによってクロストークを抑制し、良好な画像を出力することができる。
【００６０】
また、光信号受信部２８と光信号送信部２６とをレセプタクル５４の同一側面に並べて配置しないことで、レセプタクル５４の側面の幅寸法が必要以上に大きくならず、光信号伝送装置１２が大型にならない。
【００６１】
さらに、デジタル信号制御部３０と光信号送信部２６がフレキ部４６で接続されており、デジタル信号制御部３０と光信号受信部２８がフレキ部４８で接続されていることで、光信号受信部２８及び光信号送信部２６の配置の自由度が上がるので、光信号受信部２８及び光信号送信部２６を容易にレセプタクル５４の異なる側面に保持固定することができる。
【００６２】
また、デジタル信号制御部３０と、光信号送信部２６及び光信号受信部２８の位置関係、もしくは、デジタル信号制御部３０とレセプタクル５４の位置関係の精度を必要としないので、製造工程が短縮され、コストダウンに繋がる。
【００６３】
さらに、図５に示すように、フレキ部４６及びフレキ部４８を展開した状態において、フレキ部４６とフレキ部４８の一端をデジタル信号制御部３０の切欠部５０の一辺に接続して、フレキ部４６よりもフレキ部４８を長くし、さらに９０度屈曲させてＬ字状とすることで、デジタル信号制御部３０の切欠部５０に、光信号送信部２６と光信号受信部２８を互いに干渉せずに配置でき、且つ、光信号送信部２６のリジット基板２７、光信号受信部２８のリジット基板２９、及びデジタル信号制御部３０のリジット基板３２を一枚のリジットフレキ基板で形成することができる。これにより、光信号受信部２８とデジタル信号制御部３０でやりとりするデジタル電気信号や、デジタル信号制御部３０と光信号送信部２６でやりとりするデジタル電気信号の安定性が増し、誤動作を防止することができる。
【００６４】
また、フレキ部４８を略１８０度折り返しながら光信号受信部２８をレセプタクル５４の側面に取り付けることができる。すなわち、フレキ部４８を捻ることがないので、フレキ部４８に必要以上にストレスがかからない上に、フレキ部４８を弾性力で筐体４２の底面に押し付け、筐体４２に密着させた状態にできるので、不要輻射を軽減させることができる。
【００６５】
なお、本実施形態では、デジタル信号制御部３０と光送信モジュール２２、光受信モジュール２４の間の信号の伝送を、リジット基板２７、２９を介して行う構成としたが、このように、コネクタを用いる必要がない構成とすることで、コネクタから発生する不要輻射を防ぐことができる。また、コネクタを用いる必要がないことから部品点数が少なくなり、コストダウンにも繋がる。
【図面の簡単な説明】
【００６６】
【図１】本発明の実施形態の光信号伝送装置を備えた光信号伝送システムの概略構成を示すブロック図である。
【図２】本発明の実施形態の光信号伝送装置を示す斜視図である。
【図３】本発明の実施形態の光信号伝送装置のレセプタクルと、これに固定される光信号送信部及び光信号受信部を示す分解斜視図である。
【図４】（Ａ）本発明の実施形態の光信号伝送装置の上面断面図であり、（Ｂ）側面断面図である。
【図５】本発明の実施形態の光信号伝送装置のフレックスリジット基板の展開図である。
【符号の説明】
【００６７】
１２  光信号伝送装置
２２  光送信モジュール
２４  光受信モジュール
２６  光信号送信部
２８  光信号受信部
３０  デジタル信号制御部
３２  リジット基板（回路基板）
４２  筐体
４６  フレキ部（第１のフレキシブル配線基板）
４８  フレキ部（第２のフレキシブル配線基板）
５４  レセプタクル（保持部材）
【図１】
2006140586.tif 000003
【図２】
2006140586.tif 000004
【図３】
2006140586.tif 000005
【図４】
2006140586.tif 000006
【図５】
2006140586.tif 000007